(57)【要約】【課題】  電極パッドの形成が容易で、かつ電子回路などの後段との連結の不良が少なく、高歩留まり、低価格の超音波トランスデューサの製造方法及び超音波トランスデューサを提供する。【解決手段】  プリント基板１００には、表裏面を貫通する開口部１０１が形成され、開口部１０１において一方の端部から他方の端部に向かう方向に対向する端面を渡るように基板内配線１０２が設けられ、開口部１０１の位置を揃えて積層された複数のプリント基板１００を、開口部１０１が含まれるように樹脂封止した後、開口部１０１内の基板内配線１０２を含む面を切断面として切断し、切断された基板内配線１０２の断面を、ＩＣ基板４０が接続される電極パッド２３とした。【選択図】      図１
2006288420.tif 000002
【特許請求の範囲】
【請求項１】
一方の端部に沿って複数の音響整合層、超音波振動素子及びバッキング材が表面に列設され、前記超音波振動素子から他方の端部に伸延された基板内配線が内部に形成されたプリント基板を積層することにより構成される超音波トランスデューサの製造方法であって、
前記プリント基板には、表裏面を貫通する開口部が形成され、係る開口部において前記一方の端部から前記他方の端部に向かう方向に対向する端面を渡るように前記基板内配線が設けられ、前記開口部の位置を揃えて積層された前記複数のプリント基板を、前記開口部が含まれるように樹脂封止した後、前記開口部内の基板内配線を含む面を切断面として切断し、切断された基板内配線の断面を、ＩＣ基板が接続される電極パッドとしたことを特徴とする超音波トランスデューサの製造方法。
【請求項２】
前記プリント基板には、前記開口部を覆うようにスペーサが設置されたことを特徴とする請求項１に記載の超音波トランスデューサの製造方法。
【請求項３】
前記他方の端部には前記基板内配線に接続された検査パッドが形成されたことを特徴とする請求項１又は２に記載の超音波トランスデューサの製造方法。
【請求項４】
一方の端部と他方の端部とに渡って伸延された基板内配線が内部に形成され、前記基板内配線が露出するように表裏面を貫通する開口部が形成されたプリント基板を複数積層し、前記一方の端部にそれぞれ複数の超音波振動素子を接続すると共に、各超音波振動素子に対応して音響整合層を設け、前記開口部の位置を揃えて積層された前記複数のプリント基板を、前記開口部が含まれるように樹脂封止した後、前記開口部内の基板内配線を含む面を切断面として切断し、切断された基板内配線の断面を、ＩＣ基板が接続される電極パッドとしたことを特徴とする超音波トランスデューサの製造方法。
【請求項５】
前記他方の端部には前記基板内配線に接続された検査パッドが形成されたことを特徴とする請求項４に記載の超音波トランスデューサの製造方法。
【請求項６】
一方の端部と他方の端部とに渡って伸延された基板内配線が内部に形成され、前記基板内配線が露出するように表裏面を貫通する開口部が形成されたプリント基板を複数積層し、積層された前記複数のプリント基板を前記開口部が含まれるように樹脂封止した後、前記開口部内の基板内配線を含む面を切断面として切断し、切断された基板内配線の断面を、ＩＣ基板が接続される電極パッドとした後、前記一方の端部にそれぞれ複数の超音波振動素子を接続すると共に、各超音波振動素子に対応して音響整合層を設けたことを特徴とする超音波トランスデューサの製造方法。
【請求項７】
２次元アレイ状に配列された複数の音響整合層及び超音波振動素子とバッキング材とが一方の面側に形成され、他方の面側において両端支持部に対する切り欠き部を有し、その切り欠き部から前記超音波振動素子から伸延された複数の基板内配線が突出しているプリント基板が前記複数の音響整合層及び超音波振動素子に対応して複数積層され、前記基板内配線の端部を他方の面側においてＩＣ基板が接続される電極パッドとするために露出した状態で絶縁樹脂により封止されたことを特徴とする超音波トランスデューサ。
【発明の詳細な説明】
【技術分野】
【０００１】
本発明は、超音波診断装置や超音波探傷装置等に用いられる超音波トランスデューサの製造方法及び超音波プローブに関するものである。
【背景技術】
【０００２】
従来より、超音波診断装置に使用する超音波プローブは超音波の送受信を行う超音波センサー（超音波トランスデューサ）と超音波トランスデューサと超音波診断装置本体との間で電気信号を授受するために機能するケーブルアセンブリ、更に必要に応じて電気信号を制御する集積回路等モジュールから構成される。
【０００３】
近年、超音波ビームの偏向、集束を全方位に渡って行い、超音波による３次元走査が可能な超音波プローブ、及びこの超音波プローブにより収集された被検体からの超音波情報に基づいて立体（３次元）超音波画像を生成し表示する超音波診断装置の検討が行われている。
【０００４】
この超音波の全方位的なフォーカシングや高速な３次元走査を実現する超音波プローブとしては、図１５に示すように、超音波トランスデューサを構成する超音波振動素子をマトリックス状に多数配列した２次元アレイ超音波プローブがある。ここで、図１５は、２次元アレイ超音波プローブを構成する２次元アレイ超音波トランスデューサ従来の構成を示す概略図であり、図１５（ａ）は、２次元アレイ超音波トランスデューサ１０の斜視図、図１５（ｂ）は、図１５（ａ）において矢印方向から見たＣ−Ｃ断面図である。
【０００５】
図１５（ａ），（ｂ）に示すように、２次元アレイ超音波トランスデューサ１０は、音響整合層１２、アース電極１４、超音波振動素子（圧電体）１６、信号電極１８、バッキング材２０（負荷材相）及び信号リード２２を具備する構成となっている（例えば、特許文献１参照）。
【０００６】
音響整合層１２は、被検体（図示せず）と超音波振動素子１２との間に位置するように設けられており、被検体と超音波振動素子１６との音響インピーダンスの整合をとるものである。
【０００７】
アース電極１４は、各超音波振動素子１６の一端に設けられている。アース電極１４はアース接続されている。
【０００８】
超音波振動素子（圧電体）１６は、２成分系或いは３成分系の圧電セラミックス等から成る圧電素子であり、２次元マトリックス状に配列されている。この超音波振動素子１６の２次元的配列により、超音波の全方位的なフォーカシングと高速な３次元走査が可能である。
【０００９】
信号電極１８は、各超音波振動素子１６の他端（すなわち、アース電極１４とは異なる一端）に設けられており、圧電効果のための電力印加や被検体から受波した超音波に基づく電気信号を入力する電極である。
【００１０】
バッキング材２０は、超音波振動素子１６の背面に設けられており、当該超音波振動素子１６を機械的に支持する。
【００１１】
また、バッキング材２０は、超音波パルスを短くするために、超音波振動素子１６の動きを制動している。
【００１２】
このバッキング材２０は、後述する信号リード２２の端部２３が２次元配列されるように、信号電極１８から超音波振動素子１６の配列面と垂直な方向に信号リード２２を引き出し可能な経路が形成されている。
【００１３】
信号リード２２は、その一端において信号リード２２の端部２３を有している。また、他端においては各超音波振動素子１６の信号電極１８と接続されており、超音波振動素子１６の配列面と垂直な方向に、信号電極１８から伸延して、バッキング材２０中の経路を通し信号リード２２の端部２３が引き出されている。従って、信号リード２２の端部２３は、超音波振動素子１６と反対側のバッキング材２０の面において、２次元アレイ状に並んだ構成となっている。
【００１４】
このように、振動子配列に対応する基板を積層して信号リードの引き出しを構成する構造を採用した特許文献１の他には、マトリックス状に配列した素子の各列間隔に各振動子から信号リード及びアースを引き出すためのプリント基板を配置した構造を有し、プリント基板上に１列相当の振動子アレイを実装した後、振動子を実装したプリント基板を行方向に配列して２次元アレイトランスデューサを構成する方法が提案されている（例えば、特許文献２）。
【００１５】
この方法では、２次元アレイトランスデューサの完成以前にプリント基板を配置した段階で検査を行い、中途での取捨選択が可能であって、２次元アレイトランスデューサの歩留まり向上が期待できる。
【００１６】
さらには、信号リードが埋設され、底面に２次元配列電極パッドを形成されたバッキング材の構成及び製造方法が提案されている（例えば、特許文献３）。このバッキング材を用いることによって２次元配列された振動素子から信号リードを引き出した２次元アレイトランスデューサを構成することが可能である。
【００１７】
【特許文献１】特開２００１−２９２４９６号公報
【特許文献２】特開２００１−３０９４９３号公報
【特許文献３】特開２０００−１６６９２３号公報
【発明の開示】
【発明が解決しようとする課題】
【００１８】
超音波プローブは超音波トランスデューサと超音波診断装置本体とをケーブルアセンブリで連結することを基本構成としている。
【００１９】
従って、１次元アレイ超音波プローブと比較して、超音波振動素子が微細に配列される２次元アレイ超音波プローブにおいては、超音波トランスデューサからの超音波信号を効率良く信号を取り出すための電子回路がトランスデューサ近傍に必要である。
【００２０】
２次元アレイ超音波プローブでは、振動素子からの信号リードを超音波診断装置本体に伝達する構成では、振動素子数が膨大であるため、ケーブルアセンブリのケーブル心数が膨大となり、通常の超音波診断装置の使用方法に合致しない。
【００２１】
このため、トランスデューサからの超音波信号を制御し、且つ信号数を減ずる操作を行った上で超音波診断装置に伝達するために機能する電子回路が必要である。すなわち、信号リードを引き出すのみならず、振動素子群から信号リードによって導かれた電気信号を制御するための電子回路を超音波トランスデューサ近傍に高密度で実装することが求められる。
【００２２】
しかしながら、特許文献２に示す構成のトランスデューサの背面に、特許文献１に示す方法によって、電子回路を連結するためには、トランスデューサ端面に２次元配列された電極パッドを形成する必要がある。
【００２３】
プリント基板を用いた信号リードの端部２２１に電極パッドを形成する簡便な方法としてプリント基板を切断し、プリント基板上に形成された配線パターンの切断面を電極パッドとして利用する方法が考えられる。
【００２４】
しかしながら、この方法では、プリント基板上に形成される配線パターンの断面積に制約があり、電極パッド２３の面積を充分に確保することが困難である。電極パッドの面積が充分でない場合には後段の電子回路基板との接続歩留まりを確保できない問題が発生する。
【００２５】
また、従来プリント基板の構成材料は機械加工性に劣り、プリント基板切断時の基板内配線の断面周辺のバリや平坦度の劣化などの問題が発生し、印刷その他、後工程で電極パッドの面積を拡大する施策を採った場合の不良の原因になってしまう問題がある。
【００２６】
特に、この「平坦度の劣化」については、切断の際に発生するバリや基板内配線の周辺材料がむしり取られて生じる凹みが数十μｍに及ぶ場合がある。切断した基板内配線の断面を電極パッドとして使用する場合、バリ（凸部）は周囲の接続パッドの電気接続不良を惹起する。凹みは基板内配線の周囲の機械的強度の劣化や、それに伴う基板内配線自体の撓み、延いては電極パッドの位置精度の劣化をも招くものである。また、切断した基板内配線の断面に金属メッキ加工や印刷加工などによって当該電極パッドの断面積を大きくする施策を行う場合、バリや凹みは金属メッキや印刷不良を引き起こす。
【００２７】
さらに、特許文献３に記載の方法では、信号リードとアースリードを混在して伸延することが困難なため、アースリードを利用して信号リード間の電気的な干渉を低減する施策を盛り込むことが出来ず、チャンネル間クロストークの問題が発生する。加えて、特許文献３に記載の技術では、２次元アレイトランスデューサの検査は、微細な電極リードに電気端子を接触させて初めて検査が可能となり、検査が非常に煩雑であるのみならず、検査工程によって電極パッドを破損、変形させる問題が生じ、電子回路の接続などの後工程に投入することが出来なくなる問題が発生する。
【００２８】
本発明は、以上の問題点に鑑みてなされたものであって、その目的は、電極パッドの形成が容易で、かつ電子回路などの後段との連結の不良が少なく、高歩留まり、低価格の超音波トランスデューサの製造方法及び超音波トランスデューサを提供することにある。
【課題を解決するための手段】
【００２９】
上記課題を解決するための、請求項１記載の発明に係る超音波トランスデューサの製造方法は、一方の端部に沿って複数の音響整合層、超音波振動素子及びバッキング材が表面に列設され、前記超音波振動素子から他方の端部に伸延された基板内配線が内部に形成されたプリント基板を積層することにより構成される超音波トランスデューサの製造方法であって、前記プリント基板には、表裏面を貫通する開口部が形成され、係る開口部において前記一方の端部から前記他方の端部に向かう方向に対向する端面を渡るように前記基板内配線が設けられ、前記開口部の位置を揃えて積層された前記複数のプリント基板を、前記開口部が含まれるように樹脂封止した後、前記開口部内の基板内配線を含む面を切断面として切断し、切断された基板内配線の断面を、ＩＣ基板が接続される電極パッドとしたことを特徴とする。
【００３０】
上記課題を解決するための、請求項２記載の発明に係る超音波トランスデューサの製造方法は、請求項１に記載の超音波トランスデューサの製造方法において、前記プリント基板には、前記開口部を覆うようにスペーサが設置されたことを特徴とする。
【００３１】
上記課題を解決するための、請求項３記載の発明に係る超音波トランスデューサの製造方法は、請求項１又は２に記載の超音波トランスデューサの製造方法において、前記他方の端部には前記基板内配線に接続された検査パッドが形成されたことを特徴とする。
【００３２】
上記課題を解決するための、請求項４記載の発明に係る超音波トランスデューサの製造方法は、一方の端部と他方の端部とに渡って伸延された基板内配線が内部に形成され、前記基板内配線が露出するように表裏面を貫通する開口部が形成されたプリント基板を複数積層し、前記一方の端部にそれぞれ複数の超音波振動素子を接続すると共に、各超音波振動素子に対応して音響整合層を設け、前記開口部の位置を揃えて積層された前記複数のプリント基板を、前記開口部が含まれるように樹脂封止した後、前記開口部内の基板内配線を含む面を切断面として切断し、切断された基板内配線の断面を、ＩＣ基板が接続される電極パッドとしたことを特徴とする。
【００３３】
上記課題を解決するための、請求項５記載の発明に係る超音波トランスデューサの製造方法は、請求項４に記載の超音波トランスデューサの製造方法において、前記他方の端部には前記基板内配線に接続された検査パッドが形成されたことを特徴とする。
【００３４】
上記課題を解決するための、請求項６記載の発明に係る超音波トランスデューサの製造方法は、一方の端部と他方の端部とに渡って伸延された基板内配線が内部に形成され、前記基板内配線が露出するように表裏面を貫通する開口部が形成されたプリント基板を複数積層し、積層された前記複数のプリント基板を前記開口部が含まれるように樹脂封止した後、前記開口部内の基板内配線を含む面を切断面として切断し、切断された基板内配線の断面を、ＩＣ基板が接続される電極パッドとした後、前記一方の端部にそれぞれ複数の超音波振動素子を接続すると共に、各超音波振動素子に対応して音響整合層を設けたことを特徴とする。
【００３５】
上記課題を解決するための、請求項７記載の発明に係る超音波トランスデューサは、２次元アレイ状に配列された複数の音響整合層及び超音波振動素子とバッキング材とが一方の面側に形成され、他方の面側において両端支持部に対する切り欠き部を有し、その切り欠き部から前記超音波振動素子から伸延された複数の基板内配線が突出しているプリント基板が前記複数の音響整合層及び超音波振動素子に対応して複数積層され、前記基板内配線の端部を他方の面側においてＩＣ基板が接続される電極パッドとするために露出した状態で絶縁樹脂により封止されたことを特徴とする。
【発明の効果】
【００３６】
本発明によれば、電極パッドの形成が容易で、かつ電子回路などの後段との連結の不良が少なく、高歩留まり、低価格の２次元アレイ超音波プローブを提供することができる。
【発明を実施するための最良の形態】
【００３７】
本発明では、１列の超音波振動素子から引き出された信号リードの一部がフライイングリードとなるように開口部が形成されたプリント基板を積層して超音波トランスデューサを構成した。
【００３８】
このようにして積層されたプリント基板に対して、前記フライイングリード部分で切断することによって、積層されたプリント基板を単に切断する従来の製造方法よりも、精度良く切断でき、また、前記フライイングリード部分に金属鍍金などを施すことで、その断面積が大きくでき、それに伴い、接続パッドを大きくできるので、結果として電子回路などの後段との連結の不良が少なくなる。
【００３９】
以下、本発明の実施形態につき、図面を参照して説明する。なお、ここでは、本実施形態の超音波トランスデューサの製造プロセスに沿って説明する。
【００４０】
（第１の実施形態）
図１〜図５は、本発明に係る超音波トランスデューサの製造方法の第１の実施形態を示す図であり、図１（ａ）は、超音波トランスデューサを構成する超音波トランスデューサユニットを示す斜視図であり、図１（ｂ）は、図１（ａ）のＡ−Ａ断面図、図１（ｃ）は、図１（ａ）のＢ−Ｂ断面図である。
【００４１】
図１（ａ）に示すように、本実施形態の超音波トランスデューサユニット１０ａは、多層構造のプリント基板１００の一端に、超音波トランスデューサ１０の一列の部分として、列設された複数の超音波振動素子（圧電体）１６と各超音波振動素子１６に対応して配設された音響整合層とバッキング材２０ａとが設置されている。
【００４２】
多層構造とされたプリント基板１００の内部には、超音波振動素子１６の駆動電極及びアース電極から引き出された基板内配線（図１（ｂ）参照）が形成され、それらの基板内配線が、信号リード及びアースリードとなってプリント基板１００の他端に伸延されている。
【００４３】
プリント基板１００の他端には超音波振動素子１６を個々に検査するための検査パッド１０３が複数形成されており、これら検査パッド１０３は基板内配線１０２によって、超音波振動素子１６やアース電極に個々に導通されている。
【００４４】
これら検査パッド１０３は、製造工程上、後で除去されるため、その形状は導通試験などを行う検査端子の形状や、検査方法に応じて任意に設定される。
【００４５】
このように、プリント基板１００の他端に、超音波振動素子１６の導通を検査するための検査パッド１０３を設けたので、特定の検査パッド１０３を選択することにより、それに対応する超音波振動素子１６の導通状況を容易に検査することができ、検査パッド１０３自体は後工程で利用せずに除去されるため、検査自体が後工程に悪影響を及ぼすことがない。
【００４６】
すなわち、従来のように、超音波トランスデューサを作成した後ではなく、超音波トランスデューサを構成する超音波トランスデューサユニットが用意された時点で、導通検査が可能であるため、導通不良を組み立て初期の段階で取り除くことができ、結果として、超音波トランスデューサの歩留まりが向上する。
【００４７】
また、プリント基板１００には、複数の導電層が形成された多層基板を採用しているため、駆動電極とアース電極とを、同一のプリント基板１００内の基板内配線１０２を用いて信号リード２２とアースリード１０４として混在させることができ、信号リード２２とアースリード１０４とが別部材（別経路）を経由して伸延される場合に較べて電子回路などとの電気的接続が単純かつ簡便である。
【００４８】
また、プリント基板１００の内部の基板内配線１０２を、信号リード２２として利用するため、複雑な形状・構成の配線パターンを形成することが可能である。
【００４９】
従って、アースリード１０４を信号リード２２と分離して、異なる導電層に導き、かつ平面状に形成された構成や信号リード２２の間隙にアースリード１０４を走行させた構成をなし、信号リード２２間の電気的な結合（クロストーク）を低減することが可能である。
【００５０】
更に本発明に採用するプリント基板１００には、超音波トランスデューサユニット１０ａとして積層される方向に貫通した開口部１０１が形成され、この開口部１０１において、超音波振動素子１６から信号リードが引き出された方向に対向する端面間を渡るように信号リードが伸延するフライイングリード部１１０が形成されている。
【００５１】
フライイングリード部１１０における基板内配線１０２、すなわち、開口部内で架設状態の基板内配線１０２には、図１（ｃ）に示すように、金属メッキが施されており、それによって断面積が増大されると共に、機械的強度も増している。
【００５２】
このように、本実施形態では、フライイングリード部１１０を形成し、フライイングリード部１１０における基板内配線に対して金属メッキを施す余地が与えられることから、当該基板内配線１０２の断面積を任意の大きさにすることができる。
【００５３】
ここで、フライイングリード部１１０における基板内配線１０２に施される金属メッキは、例えば、銅、ニッケル、金が用いられる。また、フライイングリード部１１０における基板内配線１０２は、信号リード２２だけでなく、アースリードが含まれてもよい。
【００５４】
このフライイングリード部１１０における基板内配線１０２が、後述する様に２次元アレイトランスデューサとＩＣ基板とを接続するための電極パッド２３として機能することとなる。
【００５５】
図２〜図５は、図１に示した超音波トランスデューサユニット１０ａを用いて超音波トランスデューサ１０を構成するプロセスを説明する図であり、図２は、「積層工程」を示す図、図３は「封止工程」及び「切断工程」を示す図、図４は、このようにして製造された超音波トランスデューサの構成を示す図である。
【００５６】
（積層工程）
図２（ａ）及び図２（ｂ）に示すように、図１に示した超音波トランスデューサユニット１０ａを積み重ね、超音波トランスデューサ１０を形成するに際して、各プリント基板１００の開口部１０１を覆うように、スペーサ３０を各プリント基板１００上に設置する。
【００５７】
このスペーサ３０は、各プリント基板１００を積み重ねるにあたっての位置あわせ及びフライイングリード部１１０の保護を目的として設置されるものである。また、スペーサ３０には、機械加工可能なマシナブルセラミックスなどが採用される。
【００５８】
次に、図２（ｃ）に示すように、スペーサ３０を設置したプリント基板１００を、各プリント基板１００の開口部１０１の位置が一致するように積層させる。
【００５９】
（封止工程）
そして、図３（ａ）に示すように、積層された複数の超音波トランスデューサユニット１０ａに対して、封止樹脂３５によって樹脂封止を行って、積層された複数の超音波トランスデューサユニット１０ａを固定する。なお、本実施形態における封止樹脂は、音響減衰効果があり、バッキング材の役割を果たす材料を選択した。
【００６０】
（切断工程）
その後、図３（ｂ）に示すように、フライイングリード部１１０を含むように設定した切断面において、積層・樹脂封止された複数の超音波トランスデューサユニット１０ａを機械加工で切断する。その際、切断面を研磨することによって、フライイングリード部１１０における基板内配線１０２の切断面を露出させる。
【００６１】
図４（ａ），（ｂ）に示すように、露出した基板内配線１０２の切断面は超音波トランスデューサ（ユニット）と後段、例えば電子回路との電気接続のための電極パッド２３として使用される。なお、図４（ｂ）では、各超音波トランスデューサユニット１０ａ上の音響整合層１４、超音波振動素子１６及びバッキング材２０ａが積層されることによって、それぞれ、音響整合層１４、超音波振動素子１６及びバッキング材２０というように概念的に示してある。
【００６２】
ここで、図４（ｂ）に示すように、本発明の超音波トランスデューサの製造方法によって作成された超音波トランスデューサ１０は、電極パッド２３が形成される面（電子回路（ＩＣ）などの後段が接続される側の面）にプリント基板１００の断面及びスペーサ３０の断面が各列の電極パッド２３を囲むように露出している。この露出しているプリント基板１００の断面が、本請求項にいう両端支持部である。（本請求項にいう切り欠き部は、開口部１０１と切断面とによって構成される領域であり、図４（ｂ）では樹脂封止されているので確認はできない（図４（ａ）参照。）
【００６３】
図５は、本発明の第１の実施形態における超音波トランスデューサ１０と超音波診断装置本体とを接続するケーブル６０と、ＩＣ基板４０とを接続する機構を説明するための図である。
【００６４】
図５に示すように、ケーブル接続基板５０は、上述したＩＣ基板４０と、超音波診断装置本体とＩＣ基板４０等との電気的接続を取るケーブル（図示せず）とを接続するための基板である。当該ケーブル接続基板５０は、柔軟性を備えたＦＰＣでできており、その一端は、ＩＣ基板４０における信号リード（図示せず）が設けられた一端とは反対側の一端に電気的に接続されている。
【００６５】
コネクタ６２は、ケーブル接続基板５０の他端及び前記ケーブルの一端にそれぞれ設けられている。このコネクタ６２によって、ケーブル接続基板５０と前記ケーブルとは電気的に接続される。
【００６６】
このような構成により、ＩＣ基板４０上の各ＩＣ４５によって処理された信号は、ケーブル接続基板５０を介して超音波診断装置本体に送信されることとなる。
【００６７】
なお、図５に示すように、超音波トランスデューサ１０とＩＣ基板４０との間には中継基板を介在させてもよい。中継基板は、樹脂やセラミクスなどからなる平板形状の基板が望ましい。この中継基板は、例えば、超音波トランスデューサ１０に対向する側の面に第１の中継パッドが信号リードに応じて配設され、その反対側の面、すなわち、ＩＣ基板４０に対向する側の面に、第２の中継パッドが第１の中継パッド３１の各々に導通して配設されている。
【００６８】
ここで、前記第２の中継パッドの配列は、前記第１の中継パッドと異なる配列としてもかまわない。すなわち、前記第１の中継パッドを複数共通接続することも可能であって、かつ前記第１の中継パッドの配列順序を変更して形成すること、前記第１の中継パッドの配列ピッチを変更することも可能である。
【００６９】
この第２の中継パッドとＩＣ基板４０の端部に形成された接続パッドが電気接続されることによって、超音波トランスデューサ１０の信号リード２２が電極パッド２３を介してＩＣ４５に電気的に接続されることとなり、信号リード２２によって超音波振動素子１６から発せられた前記信号に適宜処理が施される。
【００７０】
このように、超音波トランスデューサ１０とＩＣ基板４０との間に中継基板を介在させるようにすれば、ＩＣ基板４０に形成される接続パッドに接続される電極が、ゴムや樹脂等の材料で形成されるバッキング材２０に形成された電極パッド２３よりも、中継基板に形成された前記第２の中継パッドのほうが強固に接続できるので、超音波トランスデューサ１０とＩＣ基板４０との確実な接続を実現することができる。
【００７１】
本実施形態では、超音波トランスデューサ１０と後段、例えば電子回路（上記ＩＣ４５）との電気接続を不良なく行い、かつ、電気接続の信頼性を確保するためには、電極パッド２３の面積が十分大きくかつ電極パッド２３の形成面（基板内配線１０２の切断（研磨）面）が平滑であることが必要である。
【００７２】
従って、電極パッド２３として機能する基板内配線１０２の切断面が大きいことが重要となってくる。本実施形態では、電極パッド２３として、基板内配線１０２の切断面をそのまま利用したが、その切断面の断面積が電極パッド２３として採用するには不十分であると判断される場合、この電極パッド２３を「電極パッド接続端子」として印刷、スパッタなどの方法で断面積を大きくすることが可能である。この場合であっても、印刷、スパッタによって形成される導電膜と基板内配線１０２との電気接続を容易にかつ高信頼性で実現するためには基板内配線１０２自体の断面積が大きいことが望ましい。
【００７３】
このように、本実施形態では、切断面にフライイングリード部１１０を含むように設定している。これは、プリント基板１００として用いられる材料は概して機械加工に適さない素材であることが多く、このような難加工性の材料が基板内配線１０２の周辺にあった場合には、基板内配線１０２の平滑な切断面は期待できないことに鑑みたものである。すなわち、切断されることによって電極パッド２３を構成する基板内配線１０２の周囲を空隙として、フライイングリード構造にすることによって、基板内配線１０２の周囲に難加工性の材料がない状態で切断加工することになるので、基板内配線１０２の平滑な切断面を期待できる。（提案書には、「配線パターン周辺を任意の樹脂で封止することが可能となり機械加工上の問題を軽減することが出来、後段電子回路などとの連結が高歩留まりで実現可能となる。」とあるが、開口部内で露出した基板内配線１０２はどのタイミングで封止されるのか不明）
【００７４】
従って、このように、平坦性が高く、断面積の大きさを大きくすることができる電極パッド２３が形成され、ＩＣ基板などに接続されることで、電極パッド２３の切断面におけるバリや凹みが低減されて接続不良が減少し、初期段階で検査パッドによる導通検査が行えるため、高歩留まりを実現し、それに伴う低価格化をも実現する超音波トランスデューサを提供することができる。
【００７５】
（第２の実施形態）
次に、本発明に係る超音波トランスデューサの製造方法の第２の実施形態について説明する。本実施形態では、前述の第１の実施形態のように、フライイングリード部１１０が形成されたプリント基板１００の一端に音響整合層１４、超音波振動素子１６及びバッキング材２０ａを設置するのではなく、予め配設された音響整合層１４、超音波振動素子１６に対して、フライイングリード部１１０が形成された各プリント基板１００が積層されるように接続し、樹脂封止する。
【００７６】
図６〜図９は、本発明に係る超音波トランスデューサの製造方法の第２の実施形態を示す図であり、図６（ａ）は、超音波トランスデューサを構成する超音波トランスデューサユニットを示す斜視図である。
【００７７】
図６（ａ）に示すように、本実施形態の超音波トランスデューサユニット１０ａは、多層構造のプリント基板１００の一端面（図示せず）に、後述する超音波振動素子１６に接続するための電極が形成され、プリント基板１００の内部には、前記電極から引き出された基板内配線が形成され、それらの基板内配線が、信号リード及びアースリードとなってプリント基板１００の他端に伸延されている。
【００７８】
プリント基板１００の他端には超音波振動素子１６を個々に検査するための検査パッド１０３が複数形成されており、これら検査パッド１０３は前記基板内配線によって前記電極に導通されている。
【００７９】
これら検査パッド１０３は、製造工程上、後で除去されるため、その形状は導通試験などを行う検査端子の形状や、検査方法に応じて任意に設定される。
【００８０】
さらに、本発明に採用するプリント基板１００には、超音波トランスデューサユニット１０ａとして積層される方向に貫通した開口部１０１が形成され、この開口部１０１において、前記電極（プリント基板１００の一端面）から検査パッド１０３が形成された側（プリント基板１００の他端）を望む方向に対向する端面間を渡るように基板内配線１０２が伸延するフライイングリード部１１０が形成されている。
【００８１】
フライイングリード部１１０における基板内配線１０２、すなわち、開口部内で架設状態の基板内配線１０２には、前述の第１の実施形態と同様、金属メッキが施されており、それによって断面積が増大されると共に、機械的強度も増している。
【００８２】
このように、本実施形態では、フライイングリード部１１０を形成し、フライイングリード部１１０における基板内配線に対して金属メッキを施す余地が与えられることから、当該基板内配線１０２の断面積を任意の大きさにすることができる。
【００８３】
ここで、フライイングリード部１１０における基板内配線１０２に施される金属メッキは、例えば、銅、ニッケル、金が用いられる。また、フライイングリード部１１０における基板内配線１０２は、信号リード２２だけでなく、アースリードが含まれてもよい。
【００８４】
このフライイングリード部１１０における基板内配線１０２が、後述する様に２次元アレイトランスデューサとＩＣ基板とを接続するための電極パッド２３として機能することとなる。
【００８５】
次に、図６（ｂ）〜図９を参照して、図６（ａ）に示した超音波トランスデューサユニット１０ａを用いて超音波トランスデューサ１０を構成するプロセスを説明する。図６（ｂ）は、「積層工程」を示す図、図６（ｃ）は音響整合層及び超音波振動素子を設置する工程を示す図、図７は「封止工程」を示す図、図８は「切断工程」を示す図、図９は、このようにして製造された超音波トランスデューサの構成を示す図である。
【００８６】
（積層工程）
図６（ｂ）に示すように、図６（ａ）に示した超音波トランスデューサユニット１０ａを各プリント基板１００の開口部１０１の位置が一致するように所定間隔で積層させる。
【００８７】
次に、図６（ｃ）に示すように、予め２次元アレイ状に配設された各超音波振動素子１６及び音響整合層１４に対して、各超音波トランスデューサユニット１０ａを接続する。具体的には、図１５に示した信号電極１８と超音波トランスデューサユニット１０ａの一端面の電極（図示せず）とを接続する。
【００８８】
従って、図６（ｂ）における超音波トランスデューサユニット１０ａ間の前記所定間隔とは、予め２次元アレイ状に配設された各超音波振動素子１６のピッチと、超音波トランスデューサユニット１０ａを積層することによって、２次元アレイ状に配列された超音波トランスデューサユニット１０ａの一端面の電極（図示せず）間のピッチとが同程度になるような間隔である。
【００８９】
このようにして、プリント基板１００の一端に形成された電極と、超音波振動素子１６の信号電極とが接続されることにより、プリント基板１００の他端に設けられた特定の検査パッド１０３を選択することにより、それに対応する超音波振動素子１６の導通状況を容易に検査することができ、検査パッド１０３自体は後工程で利用せずに除去されるため、検査自体が後工程に悪影響を及ぼすことがない。
【００９０】
すなわち、本実施形態においても、超音波トランスデューサを作成した後ではなく、超音波トランスデューサを構成する超音波トランスデューサユニットが用意された時点で、導通検査が可能であるため、導通不良を組み立て初期の段階で取り除くことができ、結果として、超音波トランスデューサの歩留まりが向上する。
【００９１】
（封止工程）
そして、図７に示すように、積層された複数の超音波トランスデューサユニット１０ａに対して、封止樹脂３５によって樹脂封止を行って、積層された複数の超音波トランスデューサユニット１０ａを固定する。なお、本実施形態における封止樹脂は、音響減衰効果があり、バッキング材の役割を果たす材料を選択した。従って、封止樹脂３５によって封止された部分はバッキング材２０として機能する。
【００９２】
（切断工程）
その後、図８に示すように、フライイングリード部１１０を含むように設定した切断面において、積層・樹脂封止された複数の超音波トランスデューサユニット１０ａを機械加工で切断する。その際、切断面を研磨することによって、フライイングリード部１１０における基板内配線１０２の切断面を露出させる。
【００９３】
そして、図９（ａ）及び図９（ｂ）に示すように、露出した基板内配線１０２の切断面は超音波トランスデューサ（ユニット）と後段、例えば電子回路との電気接続のための電極パッド２３として使用される。ここで、図９（ｂ）に示すように、本発明の超音波トランスデューサの製造方法によって作成された超音波トランスデューサ１０は、電極パッド２３が形成される面（電子回路（ＩＣ）などの後段が接続される側の面）にプリント基板１００の断面が各列の電極パッド２３の側方側に露出している。
【００９４】
なお、本実施形態によって作成された超音波トランスデューサ１０と後段の電子回路（ＩＣ４５）との接続態様については、前述の第１の実施形態（図５参照）と同様であるので説明を省略する。
【００９５】
（第３の実施形態）
次に、本発明に係る超音波トランスデューサの製造方法の第３の実施形態について説明する。本実施形態では、前述の第２の実施形態のように、予め配設された音響整合層１４、超音波振動素子１６に対して、フライイングリード部１１０が形成された各プリント基板１００が積層されるように接続し、樹脂封止するのではなく、フライイングリード部１１０が形成された各プリント基板１００が積層されるように接続し、樹脂封止の後に音響整合層１４、超音波振動素子１６及びバッキング材２０を接続する。
【００９６】
図１０〜図１３は、本発明に係る超音波トランスデューサの製造方法の第３の実施形態を示す図であり、図１０（ａ）は、超音波トランスデューサを構成する超音波トランスデューサユニットを示す斜視図である。
【００９７】
図１０（ａ）に示すように、本実施形態の超音波トランスデューサユニット１０ａは、多層構造のプリント基板１００の一端面（図示せず）に、後述する超音波振動素子１６に接続するための電極（図示せず）が形成され、プリント基板１００の内部には、前記電極から引き出された基板内配線が形成され、それらの基板内配線が、信号リード及びアースリードとなってプリント基板１００の他端に伸延されている。
【００９８】
プリント基板１００の他端には超音波振動素子１６を個々に検査するための検査パッド１０３が複数形成されており、これら検査パッド１０３は前記基板内配線によって前記電極に導通されている。
【００９９】
これら検査パッド１０３は、製造工程上、後で除去されるため、その形状は導通試験などを行う検査端子の形状や、検査方法に応じて任意に設定される。
【０１００】
さらに、本発明に採用するプリント基板１００には、超音波トランスデューサユニット１０ａとして積層される方向に貫通した開口部１０１が形成され、この開口部１０１において、前記電極（プリント基板１００の一端面）から検査パッド１０３が形成された側（プリント基板１００の他端）を望む方向に対向する端面間を渡るように基板内配線１０２が伸延するフライイングリード部１１０が形成されている。
【０１０１】
フライイングリード部１１０における基板内配線１０２、すなわち、開口部内で架設状態の基板内配線１０２には、前述の第１の実施形態と同様、金属メッキが施されており、それによって断面積が増大されると共に、機械的強度も増している。
【０１０２】
このように、本実施形態でも、フライイングリード部１１０を形成し、フライイングリード部１１０における基板内配線に対して金属メッキを施す余地が与えられることから、当該基板内配線１０２の断面積を任意の大きさにすることができる。
【０１０３】
ここで、フライイングリード部１１０における基板内配線１０２に施される金属メッキは、例えば、銅、ニッケル、金が用いられる。また、フライイングリード部１１０における基板内配線１０２は、信号リード２２だけでなく、アースリードが含まれてもよい。
【０１０４】
このフライイングリード部１１０における基板内配線１０２が、後述する様に２次元アレイトランスデューサとＩＣ基板とを接続するための電極パッド２３として機能することとなる。
【０１０５】
次に、図１０（ｂ）〜図１３を参照して、図１０（ａ）に示した超音波トランスデューサユニット１０ａを用いて超音波トランスデューサ１０を構成するプロセスを説明する。図１０（ｂ）は、「積層工程」を示す図、図１０（ｃ）は「封止工程」を示す図、図１１は「切断工程」を示す図、図１２は音響整合層及び超音波振動素子を設置する工程を示す図、図１３は、このようにして製造された超音波トランスデューサの構成を示す図である。
【０１０６】
（積層工程）
図１０（ｂ）に示すように、図１０（ａ）に示した超音波トランスデューサユニット１０ａを各プリント基板１００の開口部１０１の位置が一致するように所定間隔で積層させる。
【０１０７】
本実施形態においても、前述の第２の実施形態と同様に、図１０（ｂ）における超音波トランスデューサユニット１０ａ間の前記所定間隔とは、予め２次元アレイ状に配設された各超音波振動素子１６のピッチと、超音波トランスデューサユニット１０ａを積層することによって、２次元アレイ状に配列された超音波トランスデューサユニット１０ａの一端面の電極（図示せず）間のピッチとが同程度になるような間隔である（図１２参照）。
【０１０８】
（封止工程）
そして、図１０（ｃ）に示すように、積層された複数の超音波トランスデューサユニット１０ａに対して、封止樹脂３５によって樹脂封止を行って、積層された複数の超音波トランスデューサユニット１０ａを固定する。なお、本実施形態における封止樹脂は、音響減衰効果があり、バッキング材の役割を果たす材料を選択した。従って、封止樹脂３５によって封止された部分はバッキング材２０として機能する。
【０１０９】
（切断工程）
その後、図１１（ａ）に示すように、フライイングリード部１１０を含むように設定した切断面において、積層・樹脂封止された複数の超音波トランスデューサユニット１０ａを機械加工で切断する。その際、切断面を研磨することによって、フライイングリード部１１０における基板内配線１０２の切断面を露出させる（図１１（ｂ））。
【０１１０】
次に、図１２に示すように、予め２次元アレイ状に配設された各超音波振動素子１６及び音響整合層１４に対して、樹脂封止された複数の超音波トランスデューサユニット１０ａを接続する。具体的には、図１５に示した信号電極１８と、樹脂封止後、研磨などされて露出した超音波トランスデューサユニット１０ａの一端面の電極（図示せず）とを接続する。
【０１１１】
そして、図１３に示すように、露出した基板内配線１０２の切断面は超音波トランスデューサ（ユニット）と後段、例えば電子回路との電気接続のための電極パッド２３として使用される。ここで、図１３に示すように、本発明の超音波トランスデューサの製造方法によって作成された超音波トランスデューサ１０は、電極パッド２３が形成される面（電子回路（ＩＣ）などの後段が接続される側の面）にプリント基板１００の断面が各列の電極パッド２３の側方側に露出している。
【０１１２】
なお、本実施形態によって作成された超音波トランスデューサ１０と後段の電子回路（ＩＣ４５）との接続態様については、前述の第１の実施形態（図５参照）と同様であるので説明を省略する。
【０１１３】
なお、本実施形態では、前述の第２の実施形態と異なり、超音波振動素子１６が接続されていない状態で、複数のプリント基板１００を積層し、樹脂封止するので、プリント基板１００の他端に検査パッド１０３を予め形成しなくてもよい。
【０１１４】
なお、以上に説明した各実施形態では、電極パッド２３を超音波トランスデューサ１０の底面（集積回路基板などが接続される側）に形成したが、第４の実施形態として図１４に示すように、電極パッド２３を超音波トランスデューサ１０の側面に形成してもよい。
【０１１５】
上述の各実施形態は、本発明の一例であり、本発明は各実施の形態に限定されることはない。また、この他であっても、本発明に係る技術的思想を逸脱しない範囲であれば、設計等に応じて種々の変更が可能である。
【図面の簡単な説明】
【０１１６】
【図１】本発明に係る超音波トランスデューサの製造方法の第１の実施形態における超音波トランスデューサユニットの構成を示す斜視図。
【図２】本発明に係る超音波トランスデューサの製造方法の第１の実施形態において、超音波トランスデューサを構成するために、複数の超音波トランスデューサユニットを積層し、樹脂封止する工程を示す斜視図。
【図３】本発明に係る超音波トランスデューサの製造方法の第１の実施形態において、複数の超音波トランスデューサユニットを積層し、樹脂封止することによって構成された超音波トランスデューサを切断する工程を示す斜視図。
【図４】本発明に係る超音波トランスデューサの製造方法の第１の実施形態における超音波トランスデューサを示す斜視図。
【図５】本発明に係る超音波トランスデューサの製造方法の第１の実施形態における超音波トランスデューサとＩＣ基板とを接続する機構を説明するための図。
【図６】本発明に係る超音波トランスデューサの製造方法の第２の実施形態において、超音波トランスデューサを構成するために、複数の超音波トランスデューサユニットを積層し、樹脂封止する工程を示す斜視図。
【図７】本発明に係る超音波トランスデューサの製造方法の第２の実施形態において、超音波トランスデューサを構成するために、複数の超音波トランスデューサユニットを積層し、樹脂封止する工程を示す斜視図。
【図８】本発明に係る超音波トランスデューサの製造方法の第２の実施形態において、複数の超音波トランスデューサユニットを積層し、樹脂封止することによって構成された超音波トランスデューサを切断する工程を示す斜視図。
【図９】本発明に係る超音波トランスデューサの製造方法の第２の実施形態における超音波トランスデューサを示す斜視図。
【図１０】本発明に係る超音波トランスデューサの製造方法の第３の実施形態において、複数の超音波トランスデューサユニットを積層し、樹脂封止する工程を示す斜視図。
【図１１】本発明に係る超音波トランスデューサの製造方法の第３の実施形態において、積層し、樹脂封止された複数の超音波トランスデューサユニットを切断する工程を示す斜視図。
【図１２】本発明に係る超音波トランスデューサの製造方法の第３の実施形態において、超音波トランスデューサを組み立てる工程を示す斜視図。
【図１３】本発明に係る超音波トランスデューサの製造方法の第３の実施形態における超音波トランスデューサを示す斜視図。
【図１４】本発明に係る超音波トランスデューサの製造方法の第４の実施形態における超音波トランスデューサを示す斜視図。
【図１５】超音波プローブの従来の構成を示す斜視図。
【符号の説明】
【０１１７】
１０  超音波トランスデューサ
１０ａ  超音波トランスデューサユニット
１４  音響整合層
１６  超音波振動素子
１８  信号電極
１００  プリント基板
１０１  開口部
１０２  基板内配線
１０３  検査パッド
１０４  アースリード
１１０  フライイングリード部
２０  バッキング材
２２  信号リード
２３  電極パッド
３０  スペーサ
３５  封止樹脂
４０  ＩＣ基板
４５  集積回路
５０  ケーブル接続基板
６０  ケーブル
６２  コネクタ
【図１】
2006288420.tif 000003
【図２】
2006288420.tif 000004
【図３】
2006288420.tif 000005
【図４】
2006288420.tif 000006
【図５】
2006288420.tif 000007
【図６】
2006288420.tif 000008
【図７】
2006288420.tif 000009
【図８】
2006288420.tif 000010
【図９】
2006288420.tif 000011
【図１０】
2006288420.tif 000012
【図１１】
2006288420.tif 000013
【図１２】
2006288420.tif 000014
【図１３】
2006288420.tif 000015
【図１４】
2006288420.tif 000016
【図１５】
2006288420.tif 000017
【手続補正書】
【提出日】平成17年10月17日(2005.10.17)
【手続補正１】
【補正対象書類名】明細書
【補正対象項目名】００７３
【補正方法】変更
【補正の内容】
【００７３】
このように、本実施形態では、切断面にフライイングリード部１１０を含むように設定している。これは、プリント基板１００として用いられる材料は概して機械加工に適さない素材であることが多く、このような難加工性の材料が基板内配線１０２の周辺にあった場合には、基板内配線１０２の平滑な切断面は期待できないことに鑑みたものである。すなわち、切断されることによって電極パッド２３を構成する基板内配線１０２の周囲を空隙として、フライイングリード構造にすることによって、基板内配線１０２の周囲に難加工性の材料がない状態で切断加工することになるので、基板内配線１０２の平滑な切断面を期待できる。